(57)【特許請求の範囲】
【請求項１】
オープンショーケース内の商品陳列用空間部を覆う断熱筐体における前面壁と、該前面壁よりも奥方に配設されるキックプレートとの間に、所定の装着部材を介して、コンセントを、そのプラグ差込面がほぼ下方を向くように装設したことを特徴とするオープンショーケースにおけるコンセントの取付構造。
【請求項２】
前記コンセントを、そのプラグ差込面が下向き斜め前方を向くように装設した請求項１に記載のオープンショーケースにおけるコンセントの取付構造。
【請求項３】
前記装着部材が、前記前面壁の下端に垂下される外装部材と、前記キックプレートとの間に架設される取付板である請求項１または２に記載のオープンショーケースにおけるコンセントの取付構造。
【請求項４】
前記取付板が、前記外装部材と前記キックプレートとに対して着脱自在に取付けられている請求項３に記載のオープンショーケースにおけるコンセントの取付構造。
【請求項５】
前記取付板が、オープンショーケースの長手方向にスライド移動可能に取付けられている請求項３または４のいずれかに記載のオープンショーケースにおけるコンセントの取付構造。
【発明の詳細な説明】
【０００１】
【発明の属する技術分野】
本発明は、スーパーマーケット、コンビニエンスストア、またはデパート等の食品売場等において、例えば冷凍食品や生鮮食料品等を陳列するために用いられるオープンショーケースに取り付けられるコンセントの取付構造に関する。
【０００２】
【従来の技術】
従来、この種のオープンショーケースが設置される店舗内では、例えば、オープンショーケース内に陳列された商品の試食を行うことがあり、この場合、試食用の食品を調理するためのオーブン、ホットプレート等の電化製品が用いられることが多い。
【０００３】
このような試食は、通常、商品の陳列箇所近傍において行うため、例えば図６に示されるように、オープンショーケース０１の断熱筐体の下部と床面０３との間に、前記前面壁０２よりも後方位置に立設されるキックプレート０４の前面所定箇所に予めコンセント０５を設けておき、オーブンやホットプレート等を使用する際に前記コンセント０５から電源を供給出来るようにしていた。
【０００４】
【発明が解決しようとする課題】
しかしながら、上記のようにコンセント０５がキックプレート０４の前面に、前方を向くように設けられていると、客から見えやすくなり見映えが悪いとともに、水等がかかりやすいため汚れが目立つばかりか、漏電の危険性があるといった問題があった。
【０００５】
本発明は、このような問題点に着目してなされたもので、コンセントの使用性を損ねることなく、見映え良く、かつ安全に取り付け出来るオープンショーケースにおけるコンセントの取付構造を提供することを目的とする。
【０００６】
【課題を解決するための手段】
上記課題を解決するために、本発明のオープンショーケースにおけるコンセントの取付構造は、オープンショーケース内の商品陳列用空間部を覆う断熱筐体における前面壁と、該前面壁よりも奥方に配設されるキックプレートとの間に、所定の装着部材を介して、コンセントを、そのプラグ差込面がほぼ下方を向くように装設したことを特徴としている。
この特徴によれば、コンセントがキックプレートの前方位置に設けられるため、プラグの抜差しが容易になるばかりか、コンセントのプラグ差込面が客側から見えにくくなり、外観体裁が向上するとともに、プラグ差込面に水等がかかりにくくなるため、漏電等の危険性が低減する。
【０００７】
本発明のオープンショーケースにおけるコンセントの取付構造は、前記コンセントを、そのプラグ差込面が下向き斜め前方を向くように装設したことが好ましい。
このようにすれば、コンセントの位置確認及びプラグの抜差しが容易になり、コンセントの使用性が向上する。
【０００８】
本発明のオープンショーケースにおけるコンセントの取付構造は、前記装着部材が、前記前面壁の下端に垂下される外装部材と、前記キックプレートとの間に架設される取付板であることが好ましい。
このようにすれば、コンセントの本体部が外装部材の裏面側に隠れるため、コンセントを体裁良く取り付け出来る。
【０００９】
本発明のオープンショーケースにおけるコンセントの取付構造は、前記取付板が、前記外装部材と前記キックプレートとに対して着脱自在に取付けられていることが好ましい。
このようにすれば、コンセントを容易に着脱できるので、コンセントが故障または破損した場合等におけるコンセントの交換及びメンテナンス作業を簡単に行える。
【００１０】
本発明のオープンショーケースにおけるコンセントの取付構造は、前記取付板が、オープンショーケースの長手方向にスライド移動可能に取付けられていることが好ましい。
このようにすれば、取付部材を取り外すことなく、左右方向にスライドするだけで容易に位置変更できる。
【００１１】
【発明の実施の形態】
以下、本発明の実施例を図面に基づいて説明すると、まず図１には、店舗内における隅部に上面視Ｌ字形に配置されたオープンショーケース１、２が示されている。図２における３は内箱、８は断熱筐体としての外箱、４、５は側板であり、これら内箱３、外箱８、側板４、５により前方に解放する商品陳列用空間部６が構成されており、内箱３の背面に固着された複数の陳列棚７により商品を多段に陳列出来るようになっている。
【００１２】
内箱３と、その外側に配設される外箱８との間には、空気の挿通路９が設けられており、この挿通路９内に設けられるファン１０を駆動させ、商品陳列用空間部６の前方下部に設けられる取込口１１から空気を取り込むとともに、取り込んだ空気を図示しない冷却装置により冷却し、図中矢印方向に対流させることで、商品陳列用空間部６内を、冷凍食品や生鮮食料品等を陳列可能な所定温度まで冷却出来るようになっている。
【００１３】
また、商品陳列用空間部６の前方上部に設けられた排出口１２からは下方の取込口１１に向けて冷気が排出され、商品陳列用空間部６の前面にエアーカーテンが作り出されるため、商品陳列用空間部６内の冷気の拡散や外部からの熱進入が防止され、商品陳列用空間部６内の温度が一定に保持されるようになっている。
【００１４】
図１、２における１３は商品陳列用空間部６内を広く見せるためのミラーであり、側板４、５の内面前方寄りに固設されている。１５はオープンショーケース１、２の両側板４、５の前端面を覆うコーナー化粧板である。
【００１５】
図３、図４に示されるように、外箱８における傾斜壁８ａの外面には固定具１７がビスを介して固定されており、この前面にはオープンショーケース１、２の左右方向に延びる支持板１６がビスにより固定されている。１８は外装部材としてのバンパーであり、下端に屈曲形成された上向きの取付片１８ａを支持板１６の下端に形成された案内片１６ａに係止するとともに、上端を固定具１７の前面にビス固定することで、これら固定具１７、支持板１６の前方を覆うように取り付けられている。このようにバンパー１８を外箱８における前面壁８ｂの前面より突出するように設けることで、店舗内において客が使用するカート等の前面壁８ｂへの衝突が防止されるようになっている。
【００１６】
バンパー１８の奥方（図３中バンパー１８の右側）には、支持脚２４により所定高さ位置に支持された底壁８ｃと床面Ｆとの間の空間部の前方を覆うキックプレート１９が、底壁８ｃおよび傾斜壁８ａの下方に垂下するように設けられた固定具２０の前面にネジ２５を介して取り付けられている。この固定具２０は、図４に示されるように、オープンショーケース１、２の長手方向にわたって所定間隔おきに複数固設されている。
【００１７】
このようにキックプレート１９が前面壁８ｂ及びバンパー１８よりも奥方に設けられることで、オープンショーケースの下部に前方に開放する空間部が形成され、客の足が入り込みやすくなるため、客が商品陳列用空間部６に近づけるようになっている。
【００１８】
２１はコンセントであり、図４のように前面視略Ｔ字状の板材からなる装着部材としての取付板２２に、プラグ差込面２１ａが取付板２２の前面に表出するように固設されている。取付板２２は、上端に外向きの係止片２２ａを有するとともに、下端にキックプレート１９取付け用のネジ２５の挿通孔（図示略）が形成された当接片２２ｂを有している。この係止片２２ａを案内片１６ａに係止し、当接片２２ｂをキックプレート１９に押し当てた状態で前方から挿通孔（図示略）にネジ２５を挿通し、キックプレート１９とともに固定具２０にネジ固定することで、キックプレート１９とバンパー１８との間に装設できるようになっている。
【００１９】
本実施例における取付板２２は、当接片２２ｂが係止片２２ａよりも下位に位置するように傾斜状態で装設される。
【００２０】
このように、本実施例におけるコンセント２１は、装着部材としての取付板２２を介してバンパー１８とキックプレート１９との間に、プラグ差込面２１ａが下向き斜め前方を向くように取り付けられるため、前面壁８ｂの前方、すなわち客からプラグ差込面２１ａが見えにくくなるばかりか、コンセント２１の本体部が前面壁８ｂの下端に垂下するバンパー１８の裏面空間内に収容され、外部から見えなくなるため、外観体裁が向上する。
【００２１】
また、コンセント２１の取付位置がキックプレート１９の前面に設けられる場合に比べて前方寄りになるため、使用時におけるプラグ２３の抜差しを楽に行えるばかりか、床面から飛び散った水等がかかりにくくなるため、漏電事故等が発生しにくくなる。
【００２２】
また、取付板２２は一端をバンパー１８の下端に係止し、他端をキックプレート１９に対してネジ固定することで、バンパー１８とキックプレート１９との間に着脱自在に取り付けられているため、オープンショーケース１、２の配置後でもコンセント２１を容易に取り付け出来るとともに、コンセント２１が故障もしくは破損しても、簡単に取り外して交換もしくはメンテナンス出来る。
【００２３】
さらに、バンパー１８の支持板１６の案内片１６ａがオープンショーケース１、２の長手方向に沿って設けられているため、ネジ２５を外し、取付板２２を案内片１６ａに係止された係止片２２ａを介してオープンショーケース１、２の長手方向における任意の位置にスライド移動させ、所望の位置にてネジ２５を固定具２０に螺入するだけで、コンセント２１の位置変更を容易に行える。なお、本実施例において取付板２２は、キックプレート１９取付け用の固定具２０のネジ孔（図示略）を利用して取り付けるようになっていたが、キックプレート１９の所望の位置にネジ孔を形成して取り付けるようにしても良い。
【００２４】
よって、図２に示されるように、オープンショーケース１、２の前方に設置されたテーブル２６上でホットプレート２７等を使用するような場合、ホットプレート２７等を使用する位置に対応してコンセント２１を近傍に配置出来るため、コンセント２１の使用性が向上するとともに、客が電源コードに足を掛けることもない。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
上記実施例において、コンセント２１は、そのプラグ差込面２１ａが下向き斜め前方を向くように取り付けられていたが、プラグ差込面２１ａがほぼ下向きであれば、例えば図５に示されるように、取付板２２をバンパー１８とキックプレート１９との間に略水平に装設し、プラグ差込面２１ａが床面Ｆに対してほぼ並行になるように取り付けられているものも本発明に含まれる。
【００２７】
【発明の効果】
本発明は以下の効果を奏する。
【００２８】
（ａ）請求項１項の発明によれば、コンセントがキックプレートの前方位置に設けられるため、プラグの抜差しが容易になるばかりか、コンセントのプラグ差込面が客側から見えにくくなり、外観体裁が向上するとともに、プラグ差込面に水等がかかりにくくなるため、漏電等の危険性が低減する。
【００２９】
（ｂ）請求項２項の発明によれば、コンセントの位置確認及びプラグの抜差しが容易になり、コンセントの使用性が向上する。
【００３０】
（ｃ）請求項３項の発明によれば、コンセントの本体部が外装部材の裏面側に隠れるため、コンセントを体裁良く取り付け出来る。
【００３１】
（ｄ）請求項４項の発明によれば、コンセントを容易に着脱できるので、コンセントが故障または破損した場合等におけるコンセントの交換及びメンテナンス作業を簡単に行える。
【００３２】
（ｅ）請求項５項の発明によれば、取付部材を取り外すことなく、左右方向にスライドするだけで容易に位置変更できる。
【図面の簡単な説明】
【図１】本発明の適用されたオープンショーケースを示す斜視図である。
【図２】図１のオープンショーケースの縦断面図である。
【図３】図２の要部拡大断面図である。
【図４】オープンショーケースの下部を示す斜視図である。
【図５】コンセントの他の取付け例を示す断面図である。
【図６】従来のオープンショーケースの下部を示す斜視図である。
【符号の説明】
１        オープンショーケース
３        内箱
４、５    側板
６        商品陳列用空間部
７        陳列棚
８        外箱（断熱筐体）
８ａ      傾斜壁
８ｂ      前面壁
８ｃ      底壁
９        挿通路
１０      ファン
１１      取込口
１２      排出口
１３      ミラー
１５      コーナー化粧板
１６      支持板
１６ａ    案内片
１７      固定具
１８      バンパー（外装部材）
１８ａ    取付片
１９      キックプレート
２０      固定具
２１      コンセント
２１ａ    プラグ差込面
２２      取付板（装着部材）
２２ａ    係止片
２２ｂ    当接片
２３      プラグ
２４      支持脚
２５      ネジ
２６      テーブル
２７      ホットプレート
Ｆ        床面
【図１】
0004245729.tif 000002
【図２】
0004245729.tif 000003
【図３】
0004245729.tif 000004
【図４】
0004245729.tif 000005
【図５】
0004245729.tif 000006
【図６】
0004245729.tif 000007